(57)【要約】    【課題】  利用者の活動を詳細に記録して、簡単に参照できる装置を提供する。    【解決手段】  音声情報と画像情報に加えて、「時刻」「場所」及びセンサからの「利用者の周辺状況」の情報を関連付けて記録する。活動を参照する時は、これらの情報から多元的に検索、閲覧できる。また、画像データを利用者周辺の装置からも取り込めるようにする。【選択図】  図１
2005129975.tif 000002
【特許請求の範囲】
【請求項１】
画像入力手段と、音声入力手段と、記録手段と、スイッチ及び接続部とが制御部に接続されてなる情報記録装置において、
前記記録手段が情報記録時には前記音声入力手段が音声信号を連続して入力し、前記画像入力手段が画像を任意に設定した記録密度で入力することを特徴とする情報記録装置。
【請求項２】
請求項１記載の情報記録装置において、
画像または音声を記録する密度が、利用者のスイッチ操作によって変更されることを特徴とする情報記録装置。
【請求項３】
請求項２記載の情報記録装置において、
前記情報記録密度の変更は前記画像のフレームレートまたは解像度の変更であることを特徴とする情報記録装置。
【請求項４】
請求項２記載の情報記録装置において、
前記情報記録密度の変更は音声のサンプリング周期、周波数、帯域幅またはチャネル数の変更であることを特徴とする情報記録装置。
【請求項５】
請求項１乃至４のいずれかに記載の情報記録装置において、
ＧＰＳ、温度センサなどのセンサ類を付加し、データ記録時にセンサ類からのデータも関連付けて記録することを特徴とする情報記録装置。
【請求項６】
請求項１乃至５のいずれかに記載の情報記録装置において、
通信機能を付加し、データ記録時には通信機能によって得られたデータも記録することを特徴とする情報記録装置。
【請求項７】
請求項６記載の情報記録装置において、
通信機能によって得られるデータの種類を利用者が指定する手段を備えたことを特徴とする情報記録装置。
【請求項８】
画像入力手段と、音声入力手段と、記録手段と、スイッチ及び接続部とが制御部に接続されてなり、前記記録手段によって記録された音声情報、画像情報及び関連するセンサの情報を再生する情報再生装置において、
データ再生時には、別々のファイルとして記録手段に保存されている音声と画像をタイムスタンプに基づいて同期再生させることを特徴とする情報再生装置。
【請求項９】
請求項８記載の情報再生装置において、
画像の切替速度に応じて、同時に表示される画像の枚数を増減することを特徴とする情報再生装置。
【請求項１０】
請求項８記載の情報再生装置において、
画像の記録密度に応じて、大きさや枠の色などの画像の表示形態を変更することを特徴とする情報再生装置。
【請求項１１】
請求項１０記載の情報再生装置において、
記録画像のフレームレートに応じて表示間隔を増減することを特徴とする情報再生装置。
【請求項１２】
請求項１０記載の情報再生装置において、
フレームレートが高い場合には画像を間引いて表示することを特徴とする情報再生装置。
【請求項１３】
請求項８記載の情報再生装置において、
画像の切替速度に応じて音声再生速度が変化することを特徴とする情報再生装置。
【請求項１４】
請求項８記載の情報再生装置において、
記録されたデータで注目する記録時刻の位置をカレンダー上で表示することを特徴とする情報再生装置。
【請求項１５】
請求項１４項記載の情報再生装置において、
画像表示の切替と共に記録時刻の注目位置のカレンダー上の表示も移動し、かつ、画像表示の切替速度に応じてカレンダー表示の詳細度を変更することを特徴とする情報再生装置。
【請求項１６】
請求項１５記載の情報再生装置において、
画像表示の切替速度が低速である時は、カレンダーを「時」「分」単位で表示することを特徴とする情報再生装置。
【請求項１７】
請求項１５記載の情報再生装置において、
画像表示の切替速度が高速である時は、カレンダーを「月」「日」単位で表示することを特徴とする情報再生装置。
【請求項１８】
請求項１５記載の情報再生装置において、
画像表示の切替速度が超高速である時は、カレンダーを「年」「月」単位で表示することを特徴とする情報再生装置。
【発明の詳細な説明】
【技術分野】
【０００１】
本発明は、情報記録再生装置に関するものである。
【背景技術】
【０００２】
個人のスケジュール管理の装置として、例えば携帯端末装置（PDA）やモバイル型パソコン、或いは近年では携帯電話でも簡単なスケジュール管理は可能である。  
特にＰＤＡ端末やモバイル型パソコンは、スケジュール管理プログラムを初めとして、内蔵カメラやマイクによる画像記録プログラム、ボイスレコーダプログラム或いはメモ帳プログラムなどの多種多様なプログラムが組み込まれている。
【０００３】
これらのプログラムは別々に動作する為、過去の行動内容はスケジュール管理プログラムで、イベント時の画像は画像表示プログラム（以下、ブラウザプログラムと呼ぶ）で、音声の再生はボイスレコーダプログラムで、といったように別々に参照しなければならない。  
しかも、これらの記録データは時系列に記録されたものであるから閲覧するには、記録された内容を最初から再生しながら必要な箇所を探さなければならないという煩わしさがある。
【０００４】
これらの問題を解決する手段として、例えば特許文献１では、検索性能を向上させる為に、記録内容に文字データをタグとして付加し、検索画面で付加された文字データをキーワードを表示することによって利用者が見たいと思う箇所に即座にアクセスして過去の活動記録を参照できるという技術が開示されている。
【０００５】
【特許文献１】特開平６−２５１０８０号公報
【発明の開示】
【発明が解決しようとする課題】
【０００６】
上記特許文献１では、過去の活動を参照する為には、キーワードとなる文字情報だけにタグを付加するので、装置と利用者との間のインターフェースをより簡便にするにはまだ不十分である。
【０００７】
また、過去の活動を記録参照する上では、その場での音声と画像の情報に加えて「いつ」「どこで」「どのような状況」といった情報を付加して記録する必要がある。  
更に、過去の活動を参照する場合には、これらの情報を多元的に活用して情報を再生できるようなブラウザプログラムが必要となる。
【０００８】
また、利用者から見た画像を記録するだけでなく、利用者がいたその場の付近の装置からも画像データを取り込むことができれば、さらに活動を参照するデータの多様性が増えて、利便性が向上すると予想される。  
また、利用者にとって全ての記録情報が重要であるということは必ずしもありえない。
【０００９】
そのため、必要な時にだけ、詳細な情報を記録できるようにして、残りの部分は、活動を参照できる必要最低限の情報量に止めて記録するようにすれば、記録されたデータの無駄な部分が少なくなるが、現状では不可能である。即ち、情報の冗長度が低くい。
【００１０】
本発明の目的は、音声、画像及び付加する情報を記録する方法、これらのデータを活用して過去の活動を参照するブラウザプログラム、及び利用者周辺の装置から画像を取得する情報記録装置を提供することにある。
【課題を解決するための手段】
【００１１】
上述の目的は、画像入力手段と、音声入力手段と、記録手段と、スイッチ及び接続部とが制御部に接続されてなる情報記録装置において、前記記録手段が情報記録時には前記音声入力手段が音声信号を連続して入力し、前記画像入力手段が画像を任意に設定した記録密度で入力することにより達成される。
【００１２】
また、上記目的は、画像または音声を記録する密度が、利用者のスイッチ操作によって変更されることにより達成される。
【００１３】
また、上記目的は、前記情報記録密度の変更は前記画像のフレームレートまたは解像度の変更であることにより達成される。
【００１４】
また、上記目的は、前記情報記録密度の変更は音声のサンプリング周期、周波数、帯域幅またはチャネル数の変更であることにより達成される。
【００１５】
また、上記目的は、ＧＰＳ、温度センサなどのセンサ類を付加し、データ記録時にセンサ類からのデータも関連付けて記録することにより達成される。
【００１６】
また、上記目的は、通信機能を付加し、データ記録時には通信機能によって得られたデータも記録することにより達成される。
【００１７】
また、上記目的は、通信機能によって得られるデータの種類を利用者が指定する手段を備えたことにより達成される。
【００１８】
また、上記目的は、画像入力手段と、音声入力手段と、記録手段と、スイッチ及び接続部とが制御部に接続されてなり、前記記録手段によって記録された音声情報、画像情報及び関連するセンサの情報を再生する情報再生装置において、データ再生時には、別々のファイルとして記録手段に保存されている音声と画像をタイムスタンプに基づいて同期再生させることにより達成される。
【００１９】
また、上記目的は、画像の切替速度に応じて、同時に表示される画像の枚数を増減することにより達成される。
【００２０】
また、上記目的は、画像の記録密度に応じて、大きさや枠の色などの画像の表示形態を変更することにより達成される。
【００２１】
また、上記目的は、記録画像のフレームレートに応じて表示間隔を増減することにより達成される。
【００２２】
また、上記目的は、フレームレートが高い場合には画像を間引いて表示することにより達成される。
【００２３】
また、上記目的は、画像の切替速度に応じて音声再生速度が変化することにより達成される。
【００２４】
また、上記目的は、記録されたデータで注目する記録時刻の位置をカレンダー上で表示することにより達成される。
【００２５】
また、上記目的は、画像表示の切替と共に記録時刻の注目位置のカレンダー上の表示も移動し、かつ、画像表示の切替速度に応じてカレンダー表示の詳細度を変更することにより達成される。
【００２６】
また、上記目的は、画像表示の切替速度が低速である時は、カレンダーを「時」「分」単位で表示することにより達成される。
【００２７】
また、上記目的は、画像表示の切替速度が高速である時は、カレンダーを「月」「日」単位で表示することにより達成される。
【００２８】
また、上記目的は、画像表示の切替速度が超高速である時は、カレンダーを「年」「月」単位で表示することにより達成される。
【発明の効果】
【００２９】
本発明によれば、音声、画像及び付加する情報を記録する方法、これらのデータを活用して過去の活動を参照するブラウザプログラム、及び利用者周辺の装置から画像を取得する情報記録装置を提供することができる。
【発明を実施するための最良の形態】
【００３０】
ところで、利用者にとって理想的なスケジュール管理を考えると次のような要件が考えられる。
【００３１】
記憶の負担を軽減し、過去の経験を有効に行かすこと、記録時又は記録後の手間が不要又は最小であること、データの保存操作が不要若しくは最小であること、どこでも利用（操作）できること、ナビ情報やカレンダー情報が有効に活用できること、重要なことだけを抽出し強調してくれること、過去の参照履歴で頻度が高いものを抽出してくれること、イラストにして表示してくれること等等、多種である。
【００３２】
これらの要件を満足するスケジュール管理を検討した結果、以下に説明するような実施例を得た。  
本発明の実施例を図面に基づいて具体的に説明する。  
図１は、本発明に関わる情報記録装置１の構成図である。  
図１において、前記情報記録装置１の動作は、制御部１１内に書き込まれている制御プログラム(例えば、ファームウェア)により制御されている。また、前記制御部１１は情報記録装置１に組み込まれている全ての部品と配線でつながれている。
【００３３】
音声情報はマイク１３で電気信号に変換されて、制御部１１内の図示しない記憶部に一時的に格納される。同様に画像情報は、カメラ１４において電気信号に変換された後、信号入力選択手段１７を通って制御部１１内の記憶部に一時的に格納される。
【００３４】
ここで、信号入力選択手段１７は具体的にはＵＳＢ切り替え器のような装置を用いる。また、図１には図示しないが、前記情報記録装置１内にＧＰＳセンサや加速度センサを実装することにより、音声情報と画像情報に加えて、これらの情報に関連付けられた位置情報や利用者の状況（例えば、移動中か静止中かなどの情報）などのような付帯情報を制御部１１内の記憶部に格納することも出来る。
【００３５】
前記制御部１１内の記憶部に格納された音声情報画像情報及びこれらに付帯する位置及び利用者状態情報は、信号入力選択手段１７から切替手段１７１、接続用ソケット１７２を通って記録手段１２に送信されて記録される。  
記憶手段１２の具体的な装置としては、小型の磁気ディスク装置やフラッシュメモリ、強誘電性メモリのような不揮発性半導体メモリを用いる。また、記録手段１２に保存された音声情報は、接続用ソケット１７２、切替手段１７１、信号入力選択手段１７を介して制御部１１の記憶部に読み込まれた後、音声再生手段１９で聴取することが出来る。
【００３６】
同様に、記録手段１２に保存された画像情報は、表示手段１８で見ることが出来る。他方、切替手段１７１の接続を切り替えることにより、外部接続端子１７３を介して、音声情報及び画像情報を外部のパーソナルコンピュータ２に読み込んで、視聴や編集をすることが出来る。外部接側端子１７３から外部パーソナルコンピュータ２への接続には、例えばＵＳＢケーブルを用いることができる。  
さらに、制御部１１には無線ＬＡＮ用カード１６１、無線通信タグモジュール１６２及び通信カード１６３からなる通信手段１６が接続されている。
【００３７】
そこで、記録手段１２内に保存されている情報は、接続用ソケット１７２、切替手段１７１、信号入力選択手段１７を介して制御部１１の記憶部に読み込まれた後、通信手段１６の中のいずれかの素子を使って無線通信によって外部のパーソナルコンピュータに送信することが出来る。
【００３８】
次に、上述した機能を備えた情報記録再生装置を用いて記録と再生に必要な情報の拾い出し方法（以下、ブラウジングと呼ぶ）及び画像の入力源ごとの画像情報取得方法を図２を用いて説明する。  
図２は、記録手段１２内のデータ構成を説明するブロック図である。  
まず、記録手段１２への音声情報、画像情報及びこれらに付帯する位置情報、加速度センサ情報などの記録方法について説明する。  
図２において、情報記録再生装置１で記録が開始されると、記録手段１２内には一定の時間毎に音声情報、画像情報を格納する為のフォルダが作成される。各フォルダの中には、音声情報と画像情報が別々のファイルとして記録される。音声情報は、一定時間内で連続して記録されたデータとして一つのフォルダの中に一つのファイルとして記録される。
【００３９】
また、画像情報は図１のカメラ１４から一定間隔毎に取り込まれたものであり、一つのフォルダの中に複数の静止画像ファイルとして記録される。時間が経過すると共に、フォルダが一つずつ作成されて、音声情報及び画像情報をファイルとして記録するという作業を繰り返していく。
【００４０】
図３は、音声ファイル及び画像ファイルの他にＧＰＳセンサによる位置情報、加速度センサによる利用者の状態に関する情報を記録する場合の記録手段１２内のデータ構造を示す図である。
【００４１】
図３において、図２の場合と同様に、一定の時間毎に記録手段１２内にはフォルダが一つずつ作成される。一つのフォルダの中には、一定の間連続して音声情報を記録した一つの音声ファイルとフォルダの記録時間内で一定間隔毎に画像情報が記録された複数の画像ファイル、及び画像ファイルと同期してセンサから取り込まれたデータを記録したタグ情報ファイルが記録されている。
【００４２】
図４は、タグ情報ファイルの構成図である。  
図４において、ここでは、ファイル形式の例としてテキスト形式を示しているが、この形式に限定するものではない。ファイルの中には、タグ情報ファイル自身のファイル名の他に、日付、時刻、ＧＰＳセンサの位置情報、加速度センサの情報及びそのタグ情報ファイルと関連する画像ファイル及び音声ファイルのファイル名が記録されている。
【００４３】
図５は、上述したデータ構造に対応した音声情報、画像情報及びこれらに付帯したセンサによる情報を記録する制御シーケンスのタイミングを示した図である。  
図５において、横軸は、記録開始からの経過時間を示しており、音声、画像、センサ情報の各項目の縦軸は、それぞれの情報量を示している。音声情報は連続したデータとして記録されており、一つのフォルダでの記録時間毎に分割されたファイルとして記録手段１２内に記録される。  
一方、画像情報は、一つのフォルダへの記録に要する時間の中で、一定の記録間隔１毎に画像が取り込まれてファイルとして記録される。また、センサから取り込まれた情報は、画像情報と同期してタグ情報ファイルの中に記録される。
【００４４】
ここで、記録の２周期目の途中で図１に示したスイッチ１５に入力があると、スイッチ１５からの信号が制御部１１に入力された次の画像取り込みタイミングから記録密度を変更することができる。
【００４５】
図５では、記録間隔１よりも短い記録間隔２で画像情報を記録することにより、画像の中の人や物の動きがよりスムーズになるという形で記録密度の変更を実現している。  
さらに、記録の途中でもう一度スイッチ１５からの入力信号が発生した時には、画像及びセンサ情報の記録の間隔が記録間隔１へと戻る。この記録方法で動く対象物を記録する場合、利用者が重要と認識した時にスイッチ操作によって、記録間隔を密にすることで必要な情報を得られるとともに、通常の時は疎な記録密度で画像情報を記録しておくという使い方ができる。
【００４６】
この使い方は、重要と思われる画像情報だけを高密度で記録することで、記録情報の冗長度を低くできるというメリットがある。
【００４７】
図６では記録間隔を一定に保ったままで、画像情報を取り込む時の図１に示したカメラ１４の解像度を変更させて情報量を変化させることで、記録密度の変更を実現している。  
この記録方法では、利用者が行動を記録しておく時の情報として何らかの画像を記録しておく場合に、必要と意識した時だけ、解像度を高くして記録対象物の細部まで詳細に記録に残せるという使い方ができる。さらに、必要な時以外は解像度を低くして記録することで、記録情報の冗長度を低くすることができる。また、音声情報の記録密度を変化させることもできる。
【００４８】
図７は、音声情報の記録密度を変更する記録方法の制御シーケンスのタイミングを示した図である。
【００４９】
図１に示したスイッチ１５から制御部１に信号が入力されると、音声情報の情報量を高めて記録することができる。
【００５０】
図８は、音声情報の記録密度を変更する方法であり、図８（ａ）と図８（ｂ）の２通りの方法がある。  
図８（ａ）では、図１にサンプリング周波数を変化させる方法を示している。この場合、通常はサンプリング周波数１でサンプリングの間隔を長くするのに対して、高密度で記録する場合にはサンプリング周波数２でサンプリング間隔を短くする。これにより、高密度記録時では音声をより録音時に近い状態で忠実に再生することができる。
【００５１】
図８（ｂ）では図１に示したマイク１３から制御部１１に音声信号を取り込む時にデジタル信号へ変換する前段で、低域通過フィルタ回路を通して音声信号の帯域幅を制限させるものである。あるいは、制御部１の中にデジタル信号処理専用の集積回路を実装させてデジタル信号処理に変換された後で、低域通過フィルタ処理をする方法でも良い。通常は、帯域幅１で音声信号の情報量を低く押さえておくのに対して、高密度記録では帯域幅２で高周波域まで含めた音声信号を記録する。
【００５２】
この記録方法によって、利用者が重要と思う箇所の音声だけを高音質で記録して、他の箇所では音声の内容が聞き取れる必要最小限の帯域幅で録音して情報量を少なくする。その結果、音声情報の冗長度が少ない記録を実現することができる。以上、述べた画像情報及び音声情報の記録密度を利用者の意志によって変更させる３つの記録方法のうちいずれか一つを実施しても良いし、いずれか２つもしくは３つ全ての組み合わせによる記録を実施しても良い。
【００５３】
次に、記録手段１２に記録されている音声情報、画像情報をブラウズして、これらの情報に関連する位置、時刻などの情報と関連付けて過去の活動記録を検索する方法についいて説明する。
【００５４】
図９は、前記情報記録再生装置１に対応した記録データブラウザプログラムの表示画面を示す図である。  
図９において、この記録データブラウザプログラムは、前記情報記録再生装置１にインストールされており、図１に示した表示手段１８に表示されるかもしくは、外部接続端子１７３を介して接続されている外部パーソナルコンピュータ２にインストールされて、パーソナルコンピュータの画面上に表示されても良い。
【００５５】
表示画面３は画像表示部３１、画像表示用スクロールバー３２、操作ボタン３３ａ〜３３ｄ、検索欄３４、日付情報表示部３５及び位置情報表示部３６から構成されている。  
操作ボタンは、停止ボタン３３ａ、再生ボタン３３ｂ、一時停止ボタン３３ｃ及び早送りボタン３３ｄで構成されている。検索欄３４は、日付入力部３４１（年）、３４２（月）及び３４３（日）と検索ボタン３４４とで構成されている。各日付入力部３４１、３４２、３４３に直接入力して検索ボタンを押すことで、入力された日付の音声情報と画像情報が呼び出されるようになっている。ここで、日付入力や検索ボタンの操作は、外部パーソナルコンピュータ２の場合、キーボード入力とマウスによるクリック操作によって実行される。
【００５６】
他方、前記情報記録再生装置１に実装された表示手段１８の場合には、タッチペンによってカレンダー表示部３５で該当する箇所を叩いて日付が入力され、検索ボタンの部分をタッチペンで叩くことで実行される。位置情報表示部３６には、倍率変換ボタン３６１及び３６２が埋め込まれており、必要に応じて地図の表示倍率を変更させることができる。検索欄３４で日付が入力されて、該当する音声情報、画像情報及び付帯するセンサ情報が呼び出されたとする。再生ボタン３３ａをマウスクリックもしくはタッチペンで叩くことにより、音声情報と画像情報の再生がスタートする。
【００５７】
さらに、画像情報の再生と同期して日付情報表示部３５や位置情報表示部３６上のが移動する位置に目印が表示される。画像表示用スクロールバー３２で必要な箇所まで再生をスキップした場合、それに応じて日付情報や位置情報も表示を更新していく。したがって、このブラウザプログラムによって音声情報や画像情報と時刻や位置情報が常に結びついた形で過去の活動を参照することができる。また、逆に日付表示部３５または位置情報表示部３６の特定の箇所を、マウスクリックまたはタッチペンで叩くことにより、指定した内容に近い情報を含む図３に示したタグ情報ファイルを検索し、このファイルに対応する音声情報及び画像情報を記録手段１２から呼び出して、表示画面３上で再生させることもできる。
【００５８】
また、図１０のように早送りボタン３３ｄの代わりに再生速度調整ボタン３３ｅによって、再生速度を任意に変更できるようにしても良い。この時、音声情報の再生スピードを画像の再生速度に自動的に同期されて再生される。
【００５９】
また、図１１は、再生の範囲が一日以内の場合には日付表示部３５を時刻表示にしたものである。  
ここで、時刻から検索できるようにする為に、時刻操作ボタン３５１及び３５２が埋め込まれている。
【００６０】
最後に、画像の入力源ごとの取り込み方法について図１２を用いて説明する。  
図１２は、利用者４が前述の情報記録再生装置１を持ち歩いて使用する場合の使用形態を示した図である。  
この場合、画像情報は図１に示したカメラ１４を使って取り込むことができる。前述したように、カメラ１４による画像情報の取り込み時には、スイッチ１５によって画像の取り込み間隔や解像度を変更することで、利用者にとって重要と思われるシーンに合わせて情報量を調整することができる。
【００６１】
図１３は、パーソナルコンピュータ２のディスプレイの画面を画像情報として取り込む場合を示した図である。
【００６２】
図１３において、無線通信手段１６１ｂによってパーソナルコンピュータ２のディスプレイ画面を情報記録再生装置１側の無線通信手段１６１ａに転送して、情報記録再生装置１内の記録手段１２に記録する。  
ここで、情報記録再生装置１がパーソナルコンピュータ２から一定の距離に近づいたことが認識された時に、画像が転送されるものとする。したがって、パーソナルコンピュータ２には情報記録再生装置１の存在の有無を認識して、ディスプレイの画面をメモリに取り込んだ後に、無線通信手段１６１ｂを通じてディスプレイ画面のデータを送信するプログラムが予めインストールされている必要がある。
【００６３】
図１４は、コピー機のスキャナで読み取られたデータを前記情報記録再生装置１に取り込む方を描いた図である。  
図１４において、コピー機５とネットワーク６を介して接続しているパーソナルコンピュータ２の近くに情報記録再生装置１を持ってきた場合、情報記録再生装置１側の無線タグ１６２がパーソナルコンピュータ２側の無線タグレシーバ２６と交信して、パーソナルコンピュータ２が情報記録装置１の存在を認識する。この時、コピー機５のイメージスキャナーで読み取った文書や画像などのデジタルデータをネットワーク経由でパーソナルコンピュータに取り込む。
【００６４】
その後、パーソナルコンピュータのメモリに蓄えられたデータを無線LANもしくはPHSの回線に送信する。情報記録装置１側では、送信されたデータを図１に示した無線LAN通信用カード１６１もしくは通信カード１６３を介して制御部１１に取り込むことができる。その後、画像データを記録手段１２内に記録する。
【００６５】
図１５は、屋外の監視カメラからの画像を情報記録再生装置１に取り込み方を描いた図である。  
図１５において、利用者４が情報記録再生装置１を屋外で持ち歩いている。移動の途中で監視カメラ７の近くを通りすぎる時、監視カメラ７に接続しているパーソナルコンピュータ２の無線タグレシーバ２６と情報記録再生装置１の無線タグ１６２との間で交信して、パーソナルコンピュータ２が情報記録再生装置１存在を認識する。
【００６６】
その時、パーソナルコンピュータ２は監視カメラ７の画像をパーソナルコンピュータ２内部のメモリに一時格納する。そして、パーソナルコンピュータ２に接続しているデータベース８へアクセスし、無線タグレシーバ２１を通じて取得した情報記録再生装置１の所有者のＩＤを参照して、メールアドレスを取得する。  
ネットワーク６を通じて、電子メールに監視カメラ７から取得した画像データを添付して、情報記録再生装置１に送信する。情報記録再生装置１側では、無線LAN用カードもしくは通信カード１６３を通じて、パーソナルコンピュータ２からの電子メールを受信して、制御部１１内に添付された画像データを記憶する。さらに、この画像データを記録手段１２内に記録する。
【００６７】
以上のごとく、本発明は利用者の必要に応じて音声情報及び画像情報の記録密度を変更可能にできる。  
その結果、利用者にとってのシチュエーション毎のイベントや活動の重要度に応じて、記録することができる。また、記録された音声情報や画像情報と時刻や位置情報などと関連付けて検索及び閲覧することができる。その結果、検索作業における利便性が向上する。本発明の情報記録再生装置では、内蔵カメラ以外にパーソナルコンピュータ画面、コピー機のスキャナデータ及び屋外監視カメラ画像などを画像情報の入力源とすることができる。その結果、利用者の活動に関わる多種多様な情報を記録することができる。
【図面の簡単な説明】
【００６８】
【図１】図１は、本発明の一実施例を備えた情報記録再生装置の構成を描いたブロック図である。
【図２】図２は、本発明の情報記録再生装置を用いた音声情報及び画像情報の記録動作における記録手段内のデータ構造図である。
【図３】図３は、図２における記録手段内のデータ構造図である。
【図４】図４は、図３のデータ構造における、タグ情報ファイルの内容を説明する図である。
【図５】図５は、本発明の情報記録再生装置を用いた音声情報画像情報、付帯するセンサ情報の記録動作とスイッチによる画像情報の記録間隔の変更動作との動作タイミングを示す図である。
【図６】図６は、本発明の情報記録再生装置を用いた音声情報画像情報、付帯するセンサ情報の記録動作とスイッチによる画像情報の記録情報量の変更動作との動作タイミングを示す図である。
【図７】図７は、本発明の情報記録再生装置を用いた音声情報画像情報、付帯するセンサ情報の記録動作とスイッチによる音声情報の記録情報量の変更動作との動作タイミングを示す図である。
【図８】図８は、図７における音声情報の記録情報量変更の具体的なし方を描いた図である。
【図９】図９は、本発明の活動記録を検索、閲覧する為のブラウザプログラム表示画面の構成を示した図である。
【図１０】図１０は、本発明の活動記録を検索、閲覧する為のブラウザプログラム表示画面で再生速度を変更可能とした場合の構成を示した図である。
【図１１】図１１は、本発明の活動記録を検索、閲覧する為のブラウザプログラム表示画面でカレンダ表示を時刻表示に変更した場合の構成を示した図である。
【図１２】図１２は、利用者が情報記録再生装置を身につけた状態で画像情報を取り込む方法を説明する図である。
【図１３】図１３は、パーソナルコンピュータのディスプレイ画面を情報記録再生装置に取り込む方法を説明する図である。
【図１４】図１４は、コピー機のスキャナデータを情報記録再生装置に取り込む方法を説明する図である。
【図１５】図１５は、監視カメラの画像を情報記録再生装置に取り込む方法を説明する図である。
【符号の説明】
【００６９】
１…情報記録再生装置、２…パーソナルコンピュータ、３…ブラウザプログラム表示画面、４…利用者、５…コピー機、６…ネットワーク、７…監視カメラ、8…データベース、１１…制御部、１２…記録手段、１３…マイク、１４…カメラ、１５…スイッチ、１６…通信手段、１８…表示手段、１９…音声再生手段、２１…無線タグレシーバ、３１…画像表示部、３２…画像表示用スクロールバー、３３ａ…停止ボタン、３３ｂ…再生ボタン、３３ｃ…一時停止ボタン、３３ｄ…早送りボタン、３３ｅ…再生速度調整ボタン、３４…検索欄、３５…カレンダー表示部、３６…位置情報表示部、１６１…無線LAN用カード、１６２…無線タグモジュール、１６３…通信カード、１７…信号入力選択手段、１７１…切替手段、１７２…接続用ソケット、１７３…外部接続端子、３４１…年入力ボックス、３４２…月入力ボックス、３４３…日入力ボックス、３４４…検索実行ボタン。
【図１】
2005129975.tif 000003
【図２】
2005129975.tif 000004
【図３】
2005129975.tif 000005
【図４】
2005129975.tif 000006
【図５】
2005129975.tif 000007
【図６】
2005129975.tif 000008
【図７】
2005129975.tif 000009
【図８】
2005129975.tif 000010
【図９】
2005129975.tif 000011
【図１０】
2005129975.tif 000012
【図１１】
2005129975.tif 000013
【図１２】
2005129975.tif 000014
【図１３】
2005129975.tif 000015
【図１４】
2005129975.tif 000016
【図１５】
2005129975.tif 000017